(57)【特許請求の範囲】
【請求項１】
ＥＬ素子を点灯するための交流駆動信号を、このＥＬ素子に割り当てられた所定の駆動割当時間を示す点灯制御信号によって前記ＥＬ素子に供給するか否かを切換えるスイッチを備えているＥＬ駆動回路において、
前記交流駆動信号のゼロクロス点を検出し、前記点灯制御信号の開始点を前記ゼロクロス点に一致させて、前記点灯制御信号を前記スイッチに出力するコントローラを備えている
ことを特徴とするＥＬ駆動回路。
【請求項２】
請求項１記載のＥＬ駆動回路において、
前記コントローラが、前記点灯制御信号の終了点も前記ゼロクロス点に一致させている
ことを特徴とするＥＬ駆動回路。
【請求項３】
請求項２記載のＥＬ駆動回路において、
前記コントローラが、前記駆動割当時間内に含まれる前記交流駆動信号の基本周期数を変えることによって、前記ＥＬ素子の点灯輝度を制御している
ことを特徴とするＥＬ駆動回路。
【請求項４】
請求項３記載のＥＬ駆動回路において、
前記コントローラが、前記駆動割当時間において前記基本周期に相当する前記交流駆動信号を分散的に間引くように前記点灯制御信号を供給している
ことを特徴とするＥＬ駆動回路。
【請求項５】
請求項３記載のＥＬ駆動回路において、
前記ＥＬ素子は複数であり、
前記コントローラが、これら複数のＥＬ素子に対応するそれぞれの前記駆動割当時間は等しく、かつこれら駆動割当時間内に含まれる前記基本周期数が前記複数のＥＬ素子それぞれに対して異なるように前記点灯制御信号を供給している
ことを特徴とするＥＬ駆動回路。
【発明の詳細な説明】
【０００１】
【発明の属する技術分野】
本発明は、液晶式ディスプレイのバックライト等に用いられるＥＬ（Ｅｌｅｃｔｒｏｌｕｍｉｎｅｓｃｅｎｃｅ）の発光輝度を制御できるＥＬ駆動回路に関し、特に、複数のＥＬの発光輝度を効率的に制御できるＥＬ駆動回路に関する。
【０００２】
【従来の技術】
従来、この種のＥＬ駆動回路は車載ディスプレイやパーソナルコンピュータ等の表示部あるいはバックライトを構成する複数のＥＬ素子を駆動する。さらに、このＥＬ駆動回路は所定の警告表示等の際、表示を強調する部分のＥＬ素子の輝度を変化させたりする。
ＥＬ素子の輝度を変化させるためには、交流駆動信号の駆動電圧又は周波数を制御すればよいが、多くの複数のＥＬ素子毎に輝度を変化せるため多くの駆動回路が必要となり、このため回路規模が大きくなるという問題が生じる。
これを解決するために、一つの交流駆動信号発生回路からの交流駆動信号を複数のＥＬ素子で時分割的に循環的に用い、回路規模を縮小化するという従来回路もある。すなわち、この従来回路では、表示部を構成する複数のＥＬ素子を点灯するための交流駆動信号を発生する交流駆動信号発生回路、及びこの回路からの交流駆動信号を複数のＥＬ素子それぞれに対して時分割的に供給する制御部を含むスイッチ回路から基本的に構成され、これにより順次複数のＥＬ素子を点灯させる。複数のＥＬ素子に供給される交流駆動信号は、時分割的に循環的に行われるので、人間の目には全てのＥＬ素子が常時点灯しているように見える。
【０００３】
【発明が解決しようとする課題】
上述の従来回路では複数のＥＬ素子を順次点灯させるため、パルス幅変調が利用され、この変調方式に基づくそれぞれのＥＬ素子に対する駆動割当時間だけ交流駆動信号がそれぞれのＥＬ素子に供給される。しかしながら、上記駆動割当時間の開始点と交流駆動信号の開始点の同期に関しては考慮されてなかったので、以下のような問題があった。これを図６を用いて説明する。
図中、図６（ｃ）に示される交流駆動信号は、パルス幅変調に基づき図６（ａ）に示されるような所定のＥＬ素子に対する駆動割当時間だけオン（ＯＮ）オフ（ＯＦＦ）制御される。この結果、交流駆動信号は、図６（ｂ）に示されるような点灯制御された駆動信号に変換される。この駆動信号は所定のＥＬ素子に供給され、その結果該当ＥＬ素子が点灯する。
しかしながら、図６（ｂ）のａ及びｂに示されるように点灯制御信号の立ち上がり時に急峻な電流又はスイッチングノイズが発生する。この電流は放射ノイズを発生させたり、ＥＬ素子の劣化の原因になったりする。つまり、上記駆動割当時間の開始又は点灯制御信号の立ち上がりのタイミングと交流駆動信号の周期の同期に関しては全く考慮されていなかったので、上記図６（ｂ）に示したようなスイッチングノイズａ及びｂが発生する場合があり、上記の問題を引き起こしていた。
よって本発明は、上述した現状に鑑み、駆動割当時間の開始又は点灯制御信号の立ち上がりのタイミングと交流駆動信号の同期を制御し、スイッチングノイズの発生を抑制したＥＬ駆動回路を提供することを課題としている。
また本発明は、上記のようにスイッチングノイズの発生を抑制しながらも複数のＥＬ素子を簡単な構成で効率的に輝度調整することができるＥＬ駆動回路を提供することを課題としている。
【０００４】
【課題を解決するための手段】
上記課題を解決するためになされた請求項１記載のＥＬ駆動回路は、ＥＬ素子を点灯するための交流駆動信号を、このＥＬ素子に割り当てられた所定の駆動割当時間を示す点灯制御信号によって前記ＥＬ素子に供給するか否かを切換えるスイッチを備えているＥＬ駆動回路において、前記交流駆動信号のゼロクロス点を検出し、前記駆動割当時間を示す点灯制御信号の開始点を前記ゼロクロス点に一致させて、前記点灯制御信号を前記ＥＬ素子に供給するコントローラを備えていることを特徴とする。
【０００５】
請求項１記載の発明によれば、コントローラが、交流駆動信号のゼロクロス点を駆動割当時間の開始点に一致させるように点灯制御信号を前記スイッチに供給する。なお、請求項１のゼロクロス点とは、交流信号がゼロ電圧になる基本周期の開始点のことをいう。
【０００６】
上記課題を解決するためになされた請求項２記載のＥＬ駆動回路は、図１のブロック図に示すように、請求項１記載のＥＬ駆動回路において、前記コントローラが、前記ゼロクロス点を前記点灯制御信号の終了点にも一致させていることを特徴とする。
【０００７】
請求項２記載の発明によれば、駆動割当時間の開始点及び終了点はゼロクロス点に一致するように設定されている。これにより、例えば、図２に示されているように、交流駆動信号が正負対象な形で上記駆動割当時間の中に含まれることになる。従って、ＥＬ素子に供給される電荷が正又は負側に電荷が偏ることがなくなる。
【０００８】
上記課題を解決するためになされた請求項３記載のＥＬ駆動回路は、図１のブロック図に示すように、請求項２記載のＥＬ駆動回路において、前記コントローラが、前記駆動割当時間内に含まれる前記交流駆動信号の基本周期数を変えることによって、前記ＥＬ素子の点灯輝度を制御していることを特徴とする。
【０００９】
請求項３記載の発明によれば、駆動割当時間内に含まれる交流駆動信号の基本周期数を変えることによって、ＥＬ素子の点灯輝度を制御する。
【００１０】
上記課題を解決するためになされた請求項４記載のＥＬ駆動回路は、図１のブロック図に示すように、請求項３記載のＥＬ駆動回路において、前記コントローラが、前記駆動割当時間において前記基本周期に相当する前記交流駆動信号を分散的に間引くように前記点灯制御信号を供給していることを特徴とする。
【００１１】
請求項４記載の発明によれば、駆動割当時間において基本周期に相当する交流駆動信号が分散的に間引かれている。すなわち、分散的間引きにより駆動割当時間における基本周期数を変えることによって、ＥＬ素子の点灯輝度を制御している。
【００１２】
上記課題を解決するためになされた請求項５記載のＥＬ駆動回路は、図１のブロック図に示すように、請求項３記載のＥＬ駆動回路において、前記ＥＬ素子は複数であり、前記コントローラが、これら複数のＥＬ素子に対応するそれぞれの前記駆動割当時間は等しく、かつこれら駆動割当時間内に含まれる前記基本周期数が前記複数のＥＬ素子それぞれに対して異なるように前記点灯制御信号を供給していることを特徴とする。
【００１３】
請求項５記載の発明によれば、複数のＥＬ素子に割り当てられたそれぞれの前記駆動割当時間は等しい。さらにこの等しい駆動割当時間内に含まれる基本周期数が複数のＥＬ素子それぞれに対して異なる。また、前述したように、駆動割当時間の開始点及び終了点はゼロクロス点に一致しているするように設定されている。
【００１４】
【発明の実施の形態】
以下、本発明の実施の形態を図面に基づいて説明する。
図１は、本発明のＥＬ駆動回路の実施の形態を示すブロック図である。図中、交流駆動信号発生回路１は、表示部を構成する複数のＥＬ素子１、２、…、ｎを点灯するための交流駆動信号を、複数のＥＬ素子１、２、…、ｎの一端及びコントローラ２に供給する。
【００１５】
コントローラ２は、図示しない記憶手段及び制御手段を有する。この記憶手段に含まれるデータに基づき制御手段は、回路１からの交流駆動信号を複数のＥＬ素子それぞれを時分割的に点灯制御するための点灯制御信号を生成し、スイッチ３に供給する。
【００１６】
スイッチ３は、複数のＥＬ素子１、２、…、ｎそれぞれに対応するＳＷ１、２、…、ｎから構成されている。ＥＬ素子１、２、…、ｎそれぞれの他端は、ＳＷ１、２、…、ｎを介して接地されている。上記点灯制御信号に応答して、各ＳＷ１、２、…、ｎは開閉制御され、従ってＥＬ素子１、２、…、ｎには順次所定の駆動信号が流れる。この結果、対応するＥＬ素子１、２、…、ｎも時分割的に循環的に点灯する。なお、この時分割による各ＥＬ素子１、２、…、ｎに対する駆動割当時間は、各ＥＬ素子１、２、…、ｎに対して均等である。
【００１７】
なお、上記交流駆動信号を受けたコントローラ２は、交流駆動信号からゼロクロス点、すなわち、ゼロ電圧（Ｖ=０）となる交流駆動信号の基本周期の開始点を検出する。また、コントローラ２は外部から特定のＥＬ素子に対する輝度制御信号を受け、この輝度制御信号に応答して特定のＥＬ素子の輝度を制御するように、上記点灯制御信号を生成している。すなわち、特定のＥＬ素子に対する輝度制御信号を受けると、コントローラ２はこの制御信号で指定される輝度に対応するスイッチの開閉パターンをＥＬ素子番号に対応づけて内部の記憶手段に輝度情報として格納する。そしてコントローラ２はこの輝度情報に基づき点灯制御信号を生成し、所定のタイミングで点灯制御信号を対応するスイッチに供給する。具体的には、輝度制御信号に基づき上記駆動割当時間内に含まれる基本周期数（後述する）を増減させることによって、特定のＥＬ素子の輝度を制御する。
複数のＥＬ素子に供給される交流駆動信号は、時分割的に循環的に行われるので、人間の目には全てのＥＬ素子が所定の輝度を持って常時点灯しているように見える。
【００１８】
次に、図２を用いて図１で説明した輝度の制御方法について説明する。
図２（ｃ）に示されるような交流駆動信号が、ＥＬｊ（ｊ=１、２、…、ｎ）の一端に印加されている。一方、ＥＬｊの他端と接地との間に接続されたＳＷｊには、所定のタイミングで図２（ａ）に示されるような点灯制御信号が供給される。点灯制御信号で指定されるオン（０Ｎ）オフ（ＯＦＦ）タイミングでＥＬｊに対する駆動割当時間中ＳＷｊが開閉制御される。点灯制御信号のオンの期間ＳＷｊは閉になるので、この期間ＥＬｊの上記他端は接地され交流駆動信号がＥＬｊに流れる。すなわち、この期間ＥＬｊは点灯する。一方、点灯制御信号のオフの期間ＳＷｊは開になるので、この期間ＥＬｊの上記他端は接地されず交流駆動信号はＥＬｊに流れない。すなわち、この期間ＥＬｊは消灯する。図２（ａ）に示す点灯制御信号で点灯制御された交流駆動信号を図２（ｂ）に示す。この図２（ｂ）では、駆動割当時間中、基本周期が２回間引きされている。
【００１９】
なお、図２（ａ）に示される信号のパルス幅は、後述する基本周期を単位として決められている。図２（ａ）の例ではオン信号は、基本周期数１に相当するパルス幅となっているが、例えば、基本周期数２に相当するパルス幅は２基本周期分のパルス幅となる。この幅は、オンの場合のみならずオフの場合も同様に適用される。
【００２０】
図２（ａ）に示されるような点灯制御信号がＳＷｊに供給されると、その結果、図２（ｂ）に示されるような点灯制御されたＥＬ駆動信号がＥＬｊに流れる。すなわち、ＥＬｊはこのようなＥＬ駆動信号に基づいて輝度制御される。図２（ａ）及び（ｂ）に示されるように、コントローラ２は交流駆動信号からゼロクロス点ｃ、すなわち、Ｖ=０となる交流駆動信号の基本周期の開始点を検出し、この点を基準として点灯制御信号を生成している。
【００２１】
前述したように図２（ａ）に示す点灯制御信号のオンオフに対応して、図２（ｂ）に示すような基本周期を単位とする点灯及び間引きされた消灯の組み合わせからなるＥＬ駆動信号が得られる。
なお、必要な輝度に応じて、ＥＬｊに割り当てられたＥＬ点灯時間に含まれる基本周期数が制御されるが、その際消灯に対応する基本周期が間引くようにしている。
【００２２】
このように、交流駆動信号のゼロクロス点ｃ、つまり、ゼロ電圧点を駆動割当時間の開始点に一致させているので、図６（ｂ）に示した駆動割当時間の開始時おけるスイッチングノイズａ又はｂによる急峻な電流発生を防止する。この結果、放射ノイズの発生やＥＬ素子の劣化を防止できる。さらに、駆動割当時間の終了点もゼロクロス点に一致するように設定されている。これにより、例えば、図２（ｂ）に示されているように、交流駆動信号が正負対象な形で上記駆動割当時間の中に含まれることになる。従って、ＥＬ素子に供給される電荷が正又は負側に電荷が偏ることがなく、この結果ＥＬ素子の寿命を延ばす。
【００２３】
図３に、図１で説明した輝度情報を格納する記憶手段中のメモリマップを示す。
図中、外部からの各ＥＬｊ（ｊ＝１〜ｎ）に対する輝度制御信号に応答して各ＥＬｊに対応する各輝度情報Ｂｊが各エリアｊに格納されている。各輝度情報ＢｊはＥＬ素子の番号を示すＥＬｊとこれに対応する１０ディジットの１又は０で示されるスイッチ開閉パターンとから構成される。この１は対応するスイッチを基本周期中、開に、０は対応するスイッチを基本周期中、閉に制御するための制御情報である。この例では、第１周期から第１０周期までの対応スイッチ開閉情報を１又は０によって順番に表している。
【００２４】
なお、上記輝度制御信号は、車載ディスプレイやパーソナルコンピュータの表示部あるいはバックライトを構成する複数のＥＬ素子のうち、警告表示や強調表示をする部分に対応するＥＬ素子の輝度を制御する外部からの制御信号である。
【００２５】
次に、図４を用いて輝度制御をする際の処理フローを説明する。
図４は図１のコントローラが行う本発明に関わる処理を示すフローチャートである。ここでは、ＥＬ素子はＥＬ１〜３の３個と想定し、ＥＬ１〜３に対してそれぞれ異なる輝度制御をするものと想定する。また、この例では各ＥＬ１〜３に対して均等に駆動時間が割り当てられている。この駆動割当時間は前述した基本周期数が１０に相当する時間に設定されている。この例では、図５（ｅ）に示すように駆動割当時間は第１〜第１０周期で構成されているとする。ここでは便宜上、ｉを周期番号と呼ぶ。これら第１〜第１０周期それぞれを基本周期毎にオンオフ制御して、割当時間内に含まれる基本周期数を変えることによって輝度を調整する。
【００２６】
ステップＳ１において、周期番号ｉ（ｉ＝１〜１０）及びＥＬ番号ｊ（ｊ=１〜３）を初期化し、ステップＳ２に移行する。
【００２７】
ステップＳ２においては、ＥＬ番号ｊが３以上かどうかを判断する。すなわち、この例ではＥＬ素子数が３なので、ＥＬ番号ｊが３以上の場合にＥＬ番号ｊを１に戻すための判断をここで行う。この判断によりＥＬ１〜ＥＬ３を循環的に点灯させる。ＥＬ番号ｊが３以上の場合ステップＳ３に移行し（ステップＳ２のＹ）、ＥＬ番号ｊが３以上でない場合、すなわち、ＥＬ番号ｊ＝１又は２の場合（ステップＳ２のＮ）ステップＳ４に移行する。
【００２８】
ステップＳ３においては、ＥＬ番号ｊを１に戻し、ステップＳ５に移行する。一方、ステップＳ４においては、ＥＬ番号ｊをカウントアップし、ステップＳ５に移行する。
【００２９】
ステップＳ５においては、交流駆動信号発生回路１から供給される交流駆動信号から前述のゼロクロス点を検出し、ステップＳ６に移行する。
【００３０】
ステップＳ６においては、周期番号ｉをカウントアップし、ステップＳ７に移行する。
【００３１】
ステップＳ７においては、ＥＬｊの第ｉ周期の点灯制御を行う。この際、上述の記憶手段に格納されている輝度情報Ｂｊに基づき、スイッチＳＷｊを第ｉ周期に対応するタイミングで開閉制御する。そして、次のステップＳ８に移行する。
【００３２】
ステップＳ８においては、周期番号ｉが１０以上かどうかを判断する。すなわち、この例では各ＥＬｊに割り当てられている周期番号ｉは１０が最大なので、周期番号ｉが１０以上になった場合点灯させるＥＬを変え、周期番号ｉを１に戻すための判断をここで行う。ステップＳ８において、周期番号ｉが１０以上の場合（ステップＳ８のＹ）ステップＳ９における周期番号ｉの初期化を経て、次のＥＬを点灯させるためにステップＳ２に戻る。一方、ここで周期番号ｉがまだ１０以上でない場合、すなわち、周期番号ｉ＝１〜９の場合（ステップＳ８のＮ）周期番号ｉをカウントアップするためステップＳ５に戻る。
【００３３】
図５は図４の制御フローによる輝度制御によって生成される波形図の例である。
図５（ａ）、（ｂ）及び（ｃ）はそれぞれＥＬ１、２及び３の点灯制御信号を示す。ＥＬ素子それぞれには１０基本周期分毎の駆動割当時間が時分割的、循環的に割り当てられている。ＥＬ１点灯制御信号では１０基本周期中１基本周期分の交流駆動信号が間引かれている。ＥＬ２及び３点灯制御信号ではそれぞれ２及び３基本周期分の交流駆動信号が間引かれている。従って、輝度はこれらＥＬ１〜３のうちＥＬ１がもっとも高く、ＥＬ３がもっとも低い。
【００３４】
例えば、図５（ｃ）に示されるＥＬ３点灯制御信号によって制御された１駆動割当時間中のＥＬ３の交流駆動信号の例を、図５（ｄ）及び（ｅ）に示す。ここに示されているように１０基本周期中、第２、４及び６周期めの交流駆動信号が間引かれることによって、輝度調整されている。
【００３５】
このようにコントローラ２は交流駆動信号の基本周期の開始点であるゼロクロス信号を検出し、その検出に同期させて各ＥＬに対応したスイッチを基本周期単位で開閉制御する。そして、輝度制御は、基本周期単位の間引き数を変えることによって行う。例えば、図５の例を発展させて１０個のＥＬ素子に１０段階の輝度を設ける場合、最大輝度のＥＬ素子は間引きなし、第２輝度のＥＬ素子は１０基本周期から１基本周期分を間引いた９／１０点灯、第３輝度のＥＬ素子は１０基本周期から２基本周期分を間引いた８／１０点灯とすることによって、第１０輝度まで設定でき、１０個のＥＬ素子に対して１０階調を表示させることができる。
【００３６】
なお、交流駆動信号である正弦波をコントローラ２自体で生成し、これに同期させて各ＥＬの交流駆動信号を発生させる方式も考えられる。この場合には、ゼロクロス点はコントローラ２の制御下にあるので、スイッチ３の開閉タイミングを容易に制御できるようになる。また、上記実施例では、間引き数を増やしていくと周波数が下がっていくが、人がちらつきを感じる数十Ｈｚまでは間引き制御を行うことができるため、実用上十分な輝度変化をさせることができる。
【００３７】
以上のように、基本周期数で点灯輝度を指定するので、輝度を定量的に指定できるようになる。すなわち、基本周期数に比例的に輝度を階調的に指定することができるようになる。従って、簡単な構成で輝度制御をできるので、製造コストを抑えることができる。
特に、図５で示すように分散的に間引きを行う、すなわち、１駆動割当時間中に連続しないように基本周期分を間引きすることによりＥＬ素子の点灯輝度が制御されている。従って、駆動割当時間に含まれる基本周期が分散化、平均化し、表示品質の高い輝度調整をすることができる。
また、駆動割当時間の開始点及び終了点はゼロクロス点に一致しているので、複数のＥＬ素子を時分割的、循環的に切り替えて点灯制御する際に効率的である。すなわち、当該ＥＬ素子の点灯終了と次のＥＬ素子の点灯時点が一致するので、複数のＥＬ素子に対して全く無駄のない点灯制御が可能になる。
【００３８】
【発明の効果】
以上説明したように、請求項１記載の発明によれば、交流駆動信号のゼロクロス点を駆動割当時間の開始点に一致させて交流駆動信号を所定の駆動割当時間前記ＥＬ素子に供給する。
このように交流駆動信号のゼロクロス点、つまり、ゼロ電圧点を駆動割当時間の開始点に一致させているので、駆動割当時間の開始時おけるスイッチングノイズによる急峻な電流発生を防止する。この結果、放射ノイズの発生やＥＬ素子の劣化を防止できるという効果が得られる。
【００３９】
請求項２記載の発明によれば、駆動割当時間の開始点及び終了点はゼロクロス点に一致するように設定されている。これにより、例えば、図２に示されているように、交流駆動信号が正負対象な形で上記駆動割当時間の中に含まれることになる。従って、ＥＬ素子に供給される電荷が正又は負側に電荷が偏ることがなく、この結果ＥＬ素子の寿命を延ばすという請求項１記載の発明に付加された効果が得られる。
【００４０】
請求項３記載の発明によれば、駆動割当時間内に含まれる交流駆動信号の基本周期数を変えることによって、ＥＬ素子の点灯輝度を制御する。
このように、基本周期数で点灯輝度を指定するので、輝度を定量的に指定できるようになる。すなわち、基本周期数に比例的に輝度を階調的に指定することができるようになる。従って、簡単な構成で輝度制御をできるので、製造コストを抑えることができるという請求項１及び２記載の発明に付加された効果が得られる。
【００４１】
請求項４記載の発明によれば、駆動割当時間において基本周期に相当する交流駆動信号が分散的に間引かれている。すなわち、分散的間引きにより駆動割当時間における基本周期数を変えることによって、ＥＬ素子の点灯輝度を制御している。従って、請求項１〜３記載の発明の効果に加え、駆動割当時間に含まれる基本周期が平均的に分散し、この結果、輝度調整する際にＥＬの表示品位を高めることができる効果が得られる。
【００４２】
請求項５記載の発明によれば、複数のＥＬ素子に割り当てられたそれぞれの駆動割当時間は等しい。さらにこの等しい駆動割当時間内に含まれる基本周期数が複数のＥＬ素子それぞれに対して異なる。また、前述したように、駆動割当時間の開始点及び終了点はゼロクロス点に一致しているするように設定されている。従って、複数のＥＬ素子に対して、駆動割当時間内の基本周期数を変えるだけで容易に輝度変化させることができる。また、駆動割当時間の開始点及び終了点はゼロクロス点に一致しているので、複数のＥＬ素子を時分割的に循環的に切り替えて点灯制御する際、効率的である。すなわち、当該ＥＬ素子の点灯制御終了と次のＥＬ素子の点灯開始時点を一致するので、複数のＥＬ素子に対して全く無駄のない点灯制御が可能になるという請求項１〜３記載の発明の付加された効果が得られる。
【図面の簡単な説明】
【図１】本発明のＥＬ駆動回路の実施の形態を示すブロック図である。
【図２】本発明のＥＬ駆動回路による波形図である。
【図３】輝度情報を格納する記憶手段中のメモリマップである。
【図４】図１のコントローラが行う本発明に関わる処理を示すフローチャートである。
【図５】図４の制御フローによる輝度制御によって生成される波形図である。
【図６】従来のＥＬ駆動回路による波形図である。
【符号の説明】
１      交流駆動信号発生回路
２      コントローラ
３      スイッチ
【図１】
0004499865.tif 000002
【図２】
0004499865.tif 000003
【図３】
0004499865.tif 000004
【図４】
0004499865.tif 000005
【図５】
0004499865.tif 000006
【図６】
0004499865.tif 000007